(57)【要約】【課題】熟練技能を必要とすることなく製作する多面体陶器製容器の組立に所望の角度の傾斜端面の切り出しタタラをタタラ板から切り出しすることができるカッターを提供する。【解決手段】底面が平坦なホルダー３と底面からの突出長さが変更可能である傾斜した針状カッター４がこのホルダー３に出没自在に設けてあり、ホルダー３の側面に切断方向を定めるガイド５が設けてある。切断するタタラ板１の厚さに応じて針状カッター４のホルダー３の底面からの突出長さを調整し、ガイド５を型板２の縁辺に沿わせて針状カッター４を移動させることによって、縁辺が曲線である型板１の形状通りであって、端面が所望の傾斜角を有する切り出しタタラ１Ａを切り出すことができる。ホルダー３は２つのホルダー部材３ａ、３ｂを合わせて圧着固定した単純なものであり、安価に製造することができる。【選択図】図２
2019017410.tif 000002
【特許請求の範囲】
【請求項１】
底面が平坦なホルダーとこのホルダーに針状カッターが底面からの突出長さが変更可能に出没自在に設けてあり、ホルダー側面に切断方向の目標となるガイドが設けてある切り出しタタラ用カッター。
【請求項２】
請求項１において、ホルダーに設けた針状カッターを複数の角度に変更可能に設置できる切り出しタタラ用カッター。
【請求項３】
請求項１において、ホルダーの基板は半円形であって、基板の外周縁に少なくとも１つの針状カッターが基板の底面から出没可能に取り付けてあり、突出長さが変更可能である切り出しタタラ用カッター。
【発明の詳細な説明】
【技術分野】
【０００１】
本発明は、陶芸に用いる粘土板（タタラ）から型板の形状に従って所望の形状に切り出すために使用するカッターであって、切り出されたタタラの切断面が傾斜している傾斜端面を形成するカッターに関するものである。
【０００２】
多角形の容器を製作する場合、図１（１）に示すように、厚さ３ｍｍ〜１０ｍｍのタタラ１に型板２を載せ、この型板２の縁に沿ってカッターで型板２の形状に切り出し、この切り出したタタラ（以下、切り出しタタラ１Ａという）が乾燥して柔軟性を失う前に切り出しタタラ１Ａの側端面を接合して多面体の容器を組立形成している。切り出しタタラ１Ａは、多角形の角数に応じて側端面を傾斜させないと接合部がピッタリ合わず、綺麗に仕上げることができない。
図１（２）の四角形の容器の場合は四枚の所定の形状に切り出したタタラを組み合わせるので、接合面の傾斜角度は４５度であり、五角形の容器の場合は５枚のタタラを使用するので接合面の角度は５４度である。図１（３）に示す六角形の場合の接合面の傾斜角は６０度、図１（４）に示す八角形では８枚の切り出しタタラ１Ａが必要であり、接合面の角度を６７．５度とすることにより切り出しタタラ１Ａの接合面同士がぴったり合致して隙間や凹凸などがない滑らかな角部とすることができる。
【背景技術】
【０００３】
従来、切り出しタタラ１Ａの端面を傾斜面として切り出すためには、縁辺が傾斜している定規（例えば角度６０度）をタタラ１の上に載せてカッターナイフを定規の縁辺に沿って移動させて切り出しタタラ１Ａを切断し、端面が傾斜角６０度の切り出しタタラ１Ａを得ていたが、定規を使用する場合、切断した縁辺が直線の切り出しタタラしか得られず、縁辺が曲線の切り出しタタラには適用できなかった。
【０００４】
縁辺が曲線状の切り出しタタラを得る場合、まず、型板の曲線に沿って端面をカッターで垂直に切断し、端面を所要の角度となるように斜めにカットして角度を調整しており、熟練を要する作業であって初心者が簡単におこなえるものでなく、角度を間違えることがあり、また、傾斜面を縁辺全長に渡って一定の角度とすることは高度な技術を要する作業であり、失敗してやり直しをしなければならないことが多々あった。
初心者だけでなく、熟練者であっても縁辺の角度を一様な傾斜角度に形成するには長時間を要するものであった。
【先行技術文献】
【特許文献】
【０００５】
【特許文献１】特許第３６７２７０７号公報
【発明の開示】
【発明が解決しようとする課題】
【０００６】
本発明は、高度な技能や熟練を必要とすることなく必要とする角度の傾斜端面の切り出しタタラを切り出しできるカッターを提供するものである。  
【課題を解決するための手段】
【０００７】
底面が平坦なホルダーとこのホルダーに底面から傾斜して突出する針状カッターとからなり、針状カッターの底面からの突出量が変更可能であり、ホルダー側面に切断方向を案内するガイドが設けてある切り出しタタラ用カッターである。
また、出没自在に設けてある針状カッターの底面からの突出量が変更可能であり、ホルダー側面に切断方向の目標となるガイドが設けてある切り出しタタラ用のカッターである。
ホルダーは、２枚の基板の間に所定の角度でセットして針状カッターを挟んで圧着固定したものであり、基板同士は接着剤で強固に一体化してあるタタラ切り出し用のカッターである。
ホルダーは２枚の基板同士をネジで強固に固定して針状カッターを圧着固定してあるタタラ切り出し用のカッターである。
ホルダーの上面に把手が設けてあり、この把手を持ってタタラ切り抜き用カッターでタタラの上に載せた型紙に沿い、カッターに直角に突出するガイド５を型紙の縁から外れないように移動させることにより、縁辺が所定の傾斜角度の切り出しタタラを得ることができるようにしたタタラ切り出し用のカッターである。
【０００８】
切り出しタタラを切り出す針状カッターは、針状又は切断する方向に多少の幅をもたせた扁平な形状でもよく、ホルダーの底面より切断対象のタタラの厚さ分突出できるようにしてある。異なる厚さのタタラに対応できるように針状カッターはホルダーの底面からの突出量を変更できるようにしてある。
針状カッターのホルダー底面からの突出量の調節は、針状カッターを２枚の板に針状カッターの頭をホルダーの上面から突出させて所定角度でセットし、２枚の板を接着剤で固定し、接着剤が強度を発揮する前に針状カッターの頭をペンチ等の固定具で掴みホルダーから抜き差しして針状カッターが接着剤で固定されないようにしておくことにより、突出量を調整可能としてある。
【発明の効果】
【０００９】
針状カッターの突出長さを調整可能としてあるので種々の厚さのタタラに対応して使用することができ、針状カッターは、型紙が曲線を有している場合であっても正確に追随することができ、縁辺が曲線である切り出しタタラを熟練技術を要することなく容易に切り出すことができる。
また、ガイドを設けたことにより針状カッターを型紙の曲線に正確に追随させることができ、かつ、ホルダーの底面を平面としてあるので切り出しタタラの縁辺の傾斜角は一定に維持される。
更に、針状カッターのホルダーへの取付角度を製作する多面体容器の角数に応じて変更可能であるので、角度に応じた個別の切り出しタタラ用のカッターを必要としない。
【図面の簡単な説明】
【００１０】
【図１】切り出しタタラを組み立て容器に成形する手順説明図。
【図２】切り出しタタラ用カッターの実施例の正面図、切り出しタタラの傾斜端面の断面図、平面図、及び斜視図。
【図３】切り出しタタラ用カッターの実施例２の（１）正面図及び（２）平面図。
【図４】切り出しタタラ用カッターの実施例３の（１）正面図及び（２）平面図。
【図５】切り出しタタラ用カッターの実施例４の（１）正面図及び（２）平面図。
【発明を実施するための形態】
【００１１】
＜実施例１＞
本発明の切り出しタタラ用のカッターを実施例の図面に基づいて説明する。
図２（１）は、本発明の切り出しタタラ用カッター１０の実施例１の正面図及び平面図であり、切り出しタタラ１Ａをタタラ１から一定の傾斜角で切断するための針状カッター４と、針状カッター４を切り出しタタラの端面の傾斜角を保持するホルダー３で構成されている。
針状カッター４は直径０．７〜１．０ｍｍ程度の細長いもので断面円形である。断面は楕円形、三角形、もしくは扁平なものとしてもよい。断面が扁平な場合、切断方向によって切断幅が異なるものとなるので細い断面が進行方向となるようにホルダー３に取り付ける必要がある。針状カッター４は、長手方向に一様な断面としてもよく、また、先端を先鋭に加工したものでもよい。
【００１２】
ホルダー３は、厚さ３〜５ｍｍの木材やプラスチックのホルダー部材３ａ、３ｂを接着剤で貼り合わせて固定したものである。ホルダー部材３ａ、３ｂの接着面である内側面の一方に所定の角度で針状カッター４の円形断面の半径より浅い溝（図示しない）を設け、針状カッター４をその溝に設置して貼り合わせ、接着剤が固化しない状態で針状カッター４を押し引きして移動させて接着剤との縁切りをおこなって接着剤で針状カッター４が固定されないようにする。ホルダー材３ａ、３ｂで圧着固定されている針状カッター４はホルダー３の底面からの突出長さを変更することが可能である。
針状カッター４は、２つのホルダー部材３ａ、３ｂとの摩擦で固定して、作業中に突出長さが変化しないようにしてあるため、手だけでは突出長さを変更することが困難であり、ペンチなどの器具で針状カッター４を挟んで押し引きして突出長さを調整する。
【００１３】
ホルダー３の側面に直角に突出するガイド５が設けてある。このガイド５は、ホルダー３の側面から５〜１５ｍｍ程度突出させてあり、視認しやすいように着色した球体や矢印型の目印が先端に固定してある。
切り出しタタラ１Ａを切り出す際、タタラ１の上に型紙を載せ、ホルダー３の底面の全面をこの型板２の表面に密着させて型紙２の上を滑らせて型紙２の形状通りに切り出しタタラ１Ａを切り出す。ガイド５が型板２の縁辺から外れないようにすることによって、型紙２の縁辺が曲線であっても切り出しタタラ１Ａの端面が所定の角度の傾斜角となって切り出される。
ガイド５が型紙２の縁辺をなぞることができるように、例えば、ガイド５の先端部を折り曲げるなどして型紙２の縁辺をなぞっていく追従部としてもよい。
【００１４】
本発明の切り出しタタラ用カッター１０を使用して切り出しタタラを切り出す方法は以下である。
タタラ板１に型板２を載せて密着させ、切り出しタタラ用カッター１０の底面の全面を型板２に密着させ、ガイド５を型板２の側辺に合わせて移動させることによって針状カッター４は型板２の側辺の曲線の接線に対してほぼ直角に維持され、切り出しタタラ１Ａの端面の傾斜角は、針状カッター４の傾斜角に等しいものとなる。傾斜角を意識することなくガイド５を型紙２の縁辺から外れないように移動するだけで所望の端面角度の切り出しタタラ１Ａが得られる。
切り出し作業中に切り出しタタラ用カッター１０を保持しやすくして切り出し作業を円滑におこなうことができるようにホルダー３に適宜の形状の把手（図示しない）を設けておくと便利である。把手をホルダーに対して着脱式とすることによって、針状カッター４の突出量の調節作業において邪魔にならず円滑に作業を行うことができる。
【００１５】
＜実施例２＞
実施例１の切り出しタタラ用カッター１０は、針状カッター４の傾斜角が固定されたものであり、製作する多面体の角度に対応するためには異なる傾斜角の複数の切り出しタタラ用カッターを準備する必要がある。
図３に示す実施例２は、複数の傾斜角度に対応できるようにした切り出しタタラ用カッター１０であり、ホルダー３に複数の角度で針状カッター４をセットできるようにしたものであり、使用する傾斜角度の位置に針状カッター４を取り付けて使用するものである。
【００１６】
ホルダー３は半円形のホルダー部材３ａ、３ｂからなり、ネジ６で両者は強固に固定されて一体化される。方のホルダー部材３ａに各角度の位置に針状カッター４を位置決めするガイド溝３１ａ、３１ｂ、３１ｃが放射方向に形成してあり、使用時に任意のガイド溝に所要の長さを底面から突出させて針状カッター４をセットし、もう一方の基板３ｂを重ねてネジ６で２枚のホルダー部材３ａ、３ｂを固定して針状カッター４を固定している。  ガイド溝３１ａ、３１ｂ、３１ｃは、両方のホルダー部材３ａ、３ｂに形成してもよい。ガイド溝３１Ｒを傾斜角９０°の位置にも設けておけば、端面が直角の切り出しタタラ１Ａの切り出しにも本発明の切り出しタタラ用カッター１０を使用することができる。
【００１７】
＜実施例３＞
図４に示す実施例３は、実施例２と同様、針状カッター４の傾斜角度を予め定めた複数の角度に変更することができ、また、底面からの突出長さを変更できるようにしたものである。
使用する傾斜角度の位置に針状カッター４を取り付けて使用するために、あらかじめ所定の角度のガイド孔３２ａ、３２ｂ、３２ｃを複数個設けておき、針状カッター４を収容して、角度と底面からの突出長さを変更できるようにしたものである。
図４に示す実施例３のホルダー３は、一枚の半円形の基板からなり、針状カッター４を位置決めするガイド孔３２ａ、３２ｂ、３２ｃが放射状に形成してあり、使用時にいずれかのガイド孔３２ａ、３２ｂ、３２ｃに所要の長さを底面から突出させて針状カッター４をセットする。
ホルダー３を構成する基板の側面に各角度の位置を示すラインと数値を表示することによって所望の角度の位置に針状カッター４をセットするときに角度の確認が容易である。
【００１８】
＜実施例４＞
図５に示す実施例４は、半円形のホルダー３には空洞３３が形成されており、この空洞３３に針状カッター４の傾斜角を変更できる固定具４０がその底部に設けた支持軸４１を軸中心として空洞３３の内部を揺動可能に取り付けてある。固定具４０の底部は揺動の際に空洞３３の底部と干渉しないように円形に形成してある。固定具４０は中空体であり、中空部の底部には内ネジ４２が形成してあり、これに合致するネジ体４３の下に針状カッター４が固定してあり、上部にはロッド４４がホルダーの上部にまで延ばしてあり、その先端には円形の回転ハンドル４５が設けてある。ホルダー３の底部にはリング状の底盤３２が設けてあり、ホルダー３が型紙２に対して鉛直になるようにしてある。
ハンドル４５を回転することによって針状カッター４の底面からの突出量を調整するものであり、内ネジ４２とネジ体４３のピッチは１．５〜２ｍｍとするのが好ましい。
固定具４０を所望の傾斜角度において固定する手段としては、ホルダー３の所定の角度位置に穴(図示しない)を設けると共に固定具４０にも同様の穴を形成しておき、穴を合致させてホルダー３の側面からストッパーを挿入して固定したり、固定具４０のホルダー３の側面側にバネで付勢された突起を設けておき、ホルダー３の穴の位置で突起が穴に嵌合して固定具４０を所定の角度に固定したり、適宜の固定手段を採用する。
【符号の説明】
【００１９】
１    タタラ（粘土板）
１０  切り出しタタラ用カッター
１Ａ  切り出しタタラ
２    型板
３    ホルダー
３ａ、３ｂ  ホルダー部材
３１ａ，３１ｂ，３１ｃ  ３１Ｒ  ガイド溝
３２ａ，３２ｂ，３２ｃ  ３２Ｒ  孔
３２  底盤
３３  空洞
４    針状カッター
４１  支持軸
４２  内ネジ
４３  ネジ体
４４  ロッド
４５  回転ハンドル
５    ガイド
６    ネジ
６ａ  ネジ穴
【図１】
2019017410.tif 000003
【図２】
2019017410.tif 000004
【図３】
2019017410.tif 000005
【図４】
2019017410.tif 000006
【図５】
2019017410.tif 000007
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
底面が平坦なホルダーとこのホルダーに底面に対して傾斜した針状カッターが底面からの突出長さが変更可能に出没自在に設けてあり、ホルダー側面に切断方向の目標となるガイドが設けてある切り出しタタラ用カッター。
【請求項２】
切り出しタタラ用カッターであって、ホルダーは２つのホルダー部材が接合されており、接合面の一方には所定の角度のガイド溝が上面から下面まで設けてあり、針状カッターがこのガイド溝に沿って移動可能となるようにホルダー部材が接合されて針状カッターがホルダーの底面から出没可能としてある請求項１記載の切り出しタタラ用カッター。
【請求項３】
切り出しタタラ用カッターであって、ホルダーは二つの半円形のホルダー部材が接合されており、ホルダー部材の接合面に外周縁から底面に向かう複数の所定角度の針状カッターを案内するガイド溝が設けてあり、針状カッターがこのガイド溝に沿って移動可能となるようにホルダー部材が接合されて針状カッターがホルダーの底面から出没可能としてある請求項１記載の切り出しタタラ用カッター。
【手続補正２】
【補正対象書類名】明細書
【補正対象項目名】００１２
【補正方法】変更
【補正の内容】
【００１２】
ホルダー３は、厚さ３〜５ｍｍの木材やプラスチックのホルダー部材３ａ、３ｂを接着剤で貼り合わせて固定したものである。ホルダー部材３ａ、３ｂの接着面である内側面の一方に所定の角度で針状カッター４の円形断面の半径より浅い溝（図示しない）を設け、針状カッター４をその溝に設置して貼り合わせ、接着剤が固化しない状態で針状カッター４を押し引きして移動させて接着剤との縁切りをおこなって接着剤で針状カッター４が固定されないようにする。ホルダー部材３ａ、３ｂで圧着固定されている針状カッター４はホルダー３の底面からの突出長さを変更することが可能である。
針状カッター４は、２つのホルダー部材３ａ、３ｂとの摩擦で固定して、作業中に突出長さが変化しないようにしてあるため、手だけでは突出長さを変更することが困難であり、ペンチなどの器具で針状カッター４を挟んで押し引きして突出長さを調整する。
【手続補正３】
【補正対象書類名】明細書
【補正対象項目名】００１６
【補正方法】変更
【補正の内容】
【００１６】
ホルダー３は半円形のホルダー部材３ａ、３ｂからなり、ネジ６で両者は強固に固定されて一体化される。一方のホルダー部材３ａに各角度の位置に針状カッター４を位置決めするガイド溝３１ａ、３１ｂ、３１ｃが放射方向に形成してあり、使用時に任意のガイド溝に所要の長さを底面から突出させて針状カッター４をセットし、もう一方のホルダー部材３ｂを重ねてネジ６で２枚のホルダー部材３ａ、３ｂを固定して針状カッター４を固定している。ガイド溝３１ａ、３１ｂ、３１ｃは、両方のホルダー部材３ａ、３ｂに形成してもよい。ガイド溝３１Ｒを傾斜角９０°の位置にも設けておけば、端面が直角の切り出しタタラ１Ａの切り出しにも本発明の切り出しタタラ用カッター１０を使用することができる。